(57)【要約】      （修正有）【課題】表や罫線を含む画像あるいは画像の色に従い、ＬＥＤヘッドが潜像を形成するタイミングを最適化することができる画像形成装置を提供する。【解決手段】第一の露光手段は、直線状に配置した所定数の発光素子を含み、直線状態の変化が認識されにくい第一の色に対応する画像信号に応じて個々の発光素子の発光量を変化する。第二の露光手段は、直線状に配置した所定数の発光素子を含み、直線状態の変化の認識が容易な第二の色に対応する画像信号に応じて個々の発光素子の発光量を変化する。露光信号生成手段は、第二の露光手段からの発光時に個々の発光素子の直線状態の変化の影響を低減する露光時補正を除外する。【選択図】図３
2014148123.tif 000002
【特許請求の範囲】
【請求項１】
直線状に配置した所定数の発光素子を含み、直線状態の変化が認識されにくい第一の色に対応する画像信号に応じて個々の発光素子の発光量を変化する第一の露光手段と、
前記第一の露光手段の前記個々の発光素子からの光の前記発光量に対応する像を保持する第一の像担持体と、
直線状に配置した所定数の発光素子を含み、直線状態の変化の認識が容易な第二の色に対応する画像信号に応じて個々の発光素子の発光量を変化する第二の露光手段と、
前記第二の露光手段の前記個々の発光素子からの光の前記発光量に対応する像を保持する第二の像担持体と、
前記第二の露光手段からの前記光の前記発光時に前記個々の発光素子の直線状態の変化の影響を低減する露光時補正を除外する露光信号生成手段と、
を具備する画像形成装置。
【請求項２】
前記画像信号の供給元が平行線もしくは罫線を伴う画像信号を含む画像信号を出力可能な装置あるいはアプリケーションであるとき、前記第二の露光手段からの前記光の前記発光時に前記個々の発光素子の直線状態の変化の影響を低減する露光時補正を除外する請求項１の画像形成装置。
【請求項３】
前記画像信号に対応する画像データが平行線もしくは罫線を伴う画像信号を含む画像信号を出力するアプリケーションであるとき、前記第二の露光手段からの前記光の前記発光時に前記個々の発光素子の直線状態の変化の影響を低減する露光時補正を除外する請求項１の画像形成装置。
【発明の詳細な説明】
【技術分野】
【０００１】
この発明は、画像形成装置に関する。
【背景技術】
【０００２】
シートに画像を形成する画像形成装置においては、画像光を感光体に照射して形成した潜像を顕像化材（現像剤）により可視化する方法が一般的である。
【０００３】
画像光を感光体に照射する装置としてＬＥＤ（Liquid Emitting Diode）ヘッドを用いる画像形成装置がある。
【０００４】
ＬＥＤヘッドを用いる画像形成装置においては、解像度に対応する所定数のＬＥＤ素子を直線状に配置し、主走査方向に延びる直線状の画像を形成する。主走査方向と直交する副走査方向に、解像度に対応して決まる間隔で、主走査方向に延びる直線状の画像を順に形成する。すなわち、主走査方向の画素数（ＬＥＤ素子の素子数）と副走査方向の画像の数で決まる出力画像を形成する。
【先行技術文献】
【特許文献】
【０００５】
【特許文献１】特開２００５−３４２９３３号公報
【発明の概要】
【発明が解決しようとする課題】
【０００６】
しかしながら、ＬＥＤ素子の位置は、副走査方向において、個々に異なる。
【０００７】
このため、ＬＥＤヘッドを用いて形成する直線状の画像は、任意の画素（ＬＥＤ素子）の位置で、他の画素（ＬＥＤ素子）に対して段階的にずれる（非直線状となる）。
【０００８】
また、カラー画像を形成する画像形成装置は、Ｃ（シアン）、Ｍ（マゼンタ）、Ｙ（イエロ）及びＫ（ブラック）の４色分のＬＥＤヘッドを含む。従って、色毎のずれが生じる。
【０００９】
このような、非直線状の段階的なずれや、色毎のずれを補正するためには、高価な駆動回路を用意する必要が生じ、コストが増大する。
【００１０】
本発明の目的は、表や罫線を含む画像あるいは画像の色に従い、ＬＥＤヘッドが潜像を形成するタイミングを最適化する画像形成装置を提供することである。
【課題を解決するための手段】
【００１１】
実施形態の画像形成装置は、加熱手段と、第１の搬送手段と、第２の搬送手段と、ガイド手段と、を具備する。加熱手段は、シート及びシートが保持する色材を加熱する。第１の搬送手段は、前記加熱手段に、シート及び色材を搬送する。第２の搬送手段は、前記加熱手段に、前記第１の搬送手段に比較して短い搬送距離でシート及び色材を搬送する。ガイド手段は、前記加熱手段にシート及び色材を搬送可能にシート及び色材を前記第１及び第２の搬送手段のいずれか一方に案内する。
【図面の簡単な説明】
【００１２】
【図１】実施形態の画像形成装置の一例を示す。
【図２】実施形態の画像形成装置の画像形成部の一例を示す。
【図３】実施形態の画像形成装置の一例（制御ブロック）を示す。
【図４】実施形態の画像形成装置の第一の補正（歪み量）の一例を示す。
【図５】実施形態の画像形成装置の第二の補正（傾き量）の一例を示す。
【図６】実施形態の画像形成装置の傾き量検出の一例を示す。
【図７】実施形態の画像形成装置の制御方法の一例を示す。
【発明を実施するための形態】
【００１３】
以下、実施の形態について図面を参照して説明する。
【００１４】
図１に示す画像形成装置（マルチファンクショナルプリフェラル、ＭＦＰ（multi-function peripherals）、以下、単にＭＦＰと称する）１は、画像形成部３、画像読取部５及び信号処理／動作制御部（回路基板部）７を、少なくとも有する。なお、ＭＦＰ１の所定の位置に、操作部（表示パネル）９が位置する。
【００１５】
画像形成部３は、紙や樹脂シートであるシートに、画像データに対応する可視像を形成する。画像データは、例えば画像読取部５が生成するデータであってもよいし外部からのデータであってもよい。外部からのデータは、半導体メモリ等の記憶（可搬）媒体が供給するデータであってもよいしネットワーク上の供給元がインタフェース７１（図３参照）経由で供給するデータであってもよい。
【００１６】
画像読取部５は、読取対象物の文字や画像を、光の明暗として取得し、明暗に対応する画像データを生成する。
【００１７】
画像読取部５は，原稿テーブル（原稿ガラス）５ａと、照明装置と、画像センサとを、少なくとも含む。画像センサは、照明装置が出力する照明光を、原稿テーブル５ａが支持する原稿（読取対象）が反射する反射光（画像情報）を画像信号に変換する。画像センサは、例えばＣＣＤセンサあるいはＣＭＯＳ（Complementary metal-oxide Semiconductor）センサである。
【００１８】
信号処理／動作制御部７が、画像読取部５が生成する画像信号を、画像形成部３による画像形成に適した画像データに変換する。信号処理／動作制御部７は、図３に一例を示す通り、画像センサからの画像信号に対し、出力画像（プリントアウト）のために、例えば文字特定、輪郭補正、色調補正（色変換、ＲＧＢ→ＣＭＹ、濃度）、中間調（階調）、γ特性（入力濃度値対出力濃度）、等の所定の処理を施す。画像信号及び画像データは、図示しない記憶装置、例えばハードディスクドライブ（ＨＤＤ、Hard Disk Drive）や、ＭＦＰ１から取り出し可能な半導体メモリ等が記憶する。
【００１９】
画像形成部３は、第１〜第４の単色画像形成ステーション（可視像形成部）３０ａ，３０ｂ，３０ｃ及び３０ｄ、及び第１〜第４の露光装置３２ａ，３２ｂ，３２ｃ及び３２ｄを、有する。個々の画像形成ステーション３０ａ，３０ｂ，３０ｃ及び３０ｄは、露光装置３２ａ，３２ｂ，３２ｃ及び３２ｄからの露光光すなわち画像光に対応する潜像を生起して保持する感光体ドラム（像担持体）３１ａ，３１ｂ，３１ｃ及び３１ｄ、現像装置及び転写装置（１次転写部）を有する。
【００２０】
画像形成部３はまた、中間転写ベルト（可視像保持（１次転写）部）３３、シート転写装置（２次転写部）３４、定着装置３５、第１〜第４の廃トナー収集機構３６ａ，３６ｂ，３６ｃ及び３６ｄ、中間転写ベルトクリーナ３７及び廃トナー回収装置３８、等を有する。
【００２１】
個々の単色画像形成ステーション（可視像形成部）３０ａ，３０ｂ，３０ｃ及び３０ｄは、それぞれ、自身が保持する電位が、画像光の強度に応じて変化する感光体ドラム個々の感光体ドラム３１ａ，３１ｂ，３１ｃ及び３１ｄには、第１〜第４の露光装置３２ａ，３２ｂ，３２ｃ及び３２ｄが露光光すなわち画像光を照射する。
【００２２】
画像形成部３はまた、自動両面ユニット（ＡＤＵ、Automatically Duplex Unit）４０、少なくとも１つのシートカセット４１及びシートカセット毎に付属する給紙機構４３、搬送機構４４及びアライニング機構４５を含む。なお、アライニング機構４５の前段に、手差しトレイ４６及び手差しトレイに付属する給紙機構４７が位置する。また、シートカセット４１は、複数段、重ねて利用可能である。
【００２３】
第１〜第４の露光装置３２ａ，３２ｂ，３２ｃ及び３２ｄは、それぞれ、ＬＥＤヘッド（ＬＥＤ素子列）を含み、信号処理／動作制御部７の画像処理部７３からの画像データを光の強弱に変換した画像光を出力する。
【００２４】
第１〜第４の露光装置３２ａ，３２ｂ，３２ｃ及び３２ｄが出力する画像光は、それぞれ、第１〜第４の画像形成ステーション３０ａ，３０ｂ，３０ｃ及び３０ｄの感光体ドラムに潜像を形成する。すなわち、それぞれの画像形成ステーション３０ａ，３０ｂ，３０ｃ及び３０ｄの感光体ドラム３１ａ，３１ｂ，３１ｃ及び３１ｄの電位がＬＥＤヘッドからの画像光の強度に応じて変化し、その電位差が、潜像（静電像）となる。
【００２５】
個々の画像形成ステーション３０ａ，３０ｂ，３０ｃ及び３０ｄは、それぞれ、Ｃ（シアン、cyan），Ｍ（マゼンタ、magenta），Ｙ（イエロ、yellow），Ｋ（黒（ブラック）、black）のそれぞれの色の可視像を形成する。現像装置は、個々の感光体ドラム３１ａ，３１ｂ，３１ｃ及び３１ｄが保持する上述の潜像にトナーを供給して現像する。転写装置は、個々の感光体ドラム３１ａ，３１ｂ，３１ｃ及び３１ｄが保持するトナー像（可視像）を、中間転写ベルト３３に移動する。
【００２６】
なお、各画像形成ステーション３０ａ，３０ｂ，３０ｃ及び３０ｄの配列（位置）すなわち色の順は、画像形成プロセスやトナーの特性に応じて決定する。
【００２７】
中間転写ベルト３３は、個々のステーション３０ａ，３０ｂ，３０ｃ及び３０ｄが形成するトナー像（可視像）を保持し、搬送する。
【００２８】
シート転写装置３４は、中間転写ベルト３３が搬送するトナー像を、シート（用紙）に移動する。
【００２９】
定着装置３５は、シート転写装置３４により中間転写ベルト３３からシートに移動したトナーすなわちトナー像をシートに固定（定着）する。
【００３０】
廃トナー収集機構３６は、それぞれのステーション３０ａ，３０ｂ，３０ｃ及び３０ｄの転写装置（１次転写部）の近傍においてクリーナが除去した感光体ドラムから中間転写ベルト３３に移動することなく（個々の感光体ドラムに）残った転写残りトナー（余剰なトナー）を、廃トナー回収装置３８が回収（保持）可能に収集する。
【００３１】
中間転写ベルトクリーナ３７は、シート転写装置（２次転写部）３４の近傍において、中間転写ベルト３３からシートに移動することなく中間転写ベルト３３に残った転写残り（余剰な）トナーを、廃トナー回収装置３８が回収（保持）可能に収集する。
【００３２】
廃トナー回収装置３８は、廃トナー収集機構３６が収集した転写残りトナー、及び中間転写ベルトクリーナ３７が収集した転写残りトナーを回収する。
【００３３】
個々の画像形成ステーション３０ａ，３０ｂ，３０ｃ及び３０ｄにおける画像形成動作に対応する所定タイミングで、給紙機構４２が用紙カセット４１からシートを引き出す。用紙カセット４１からのシートは、搬送機構４４が中間転写ベルト３３とシート転写装置３４とが接する転写位置に（シートを）移動する。シートが転写位置（中間転写ベルト３３とシート転写装置３４とが接する位置）に移動するタイミングは、アライニング機構４５が個々の画像形成ステーション３０ａ，３０ｂ，３０ｃ及び３０ｄにおける画像形成動作に対応して設定する。
【００３４】
定着装置３５は、シート及びシートに静電的に付着した状態のトナーを加熱し、圧力を与え、トナーをシートに固定する。
【００３５】
定着装置３５が定着するトナー（トナー像）を保持したシートは、出力画像（プリントアウト）として、画像読取部５と画像形成部３との間の空間、もしくはＡＤＵ（自動両面ユニット）４０へ移動する。
【００３６】
ＡＤＵ４０は、第１の面にトナー像が密着したシートの第１の面の背面となる第２面にトナーが移動可能にシートの表裏を反転し、表裏が反転したシートを、アライニング機構４５に移動（位置）する。
【００３７】
信号処理／動作制御部７は、図３に一例を示すが、画像入力部（入力インタフェース）７１、画像処理部７３、変調回路（露光信号生成部）７５、ＣＰＵ（Central Processing Unit、主制御装置）７７、画像検出回路（露光タイミング検出部）７９、等を含む。
【００３８】
入力インタフェース７１は、例えばパーソナルコンピュータ（ＰＣ、Personal Computer）等の外部装置から、あるいはネットワーク等を経由して供給される画像データを受けつける。
【００３９】
画像処理部７３は、画像読取部５が生成した画像信号あるいは入力インタフェース７１からの画像データに、上述の、文字特定、輪郭補正、色調補正、γ特性、等について所定の処理を行う。
【００４０】
露光信号生成部７５は、画像処理部７３が処理した画像データを、第１〜第４の露光装置３２ａ，３２ｂ，３２ｃ及び３２ｄによる露光光として用いるための変調信号（露光信号）に変換する。
【００４１】
ＣＰＵ（主制御装置）７７は、画像処理部７３内の画像データの処理を制御する。
【００４２】
画像検出回路（露光タイミング検出部）７９は、画像センサ３９の出力に基づいて、各画像形成ステーション３０ａ，３０ｂ，３０ｃ及び３０ｄにおいて形成する各色の画像の傾き（すなわち露光タイミングとして管理できる）を検出する。
【００４３】
信号処理／動作制御部７はまた、画像処理部７３（ＣＰＵ７７）、画像形成部３及び画像読取部５からなるＭＦＰ１の全体の動作を制御する主制御装置（ＭＰＵ、Main Processing Unit）１０１を有し、画像読取動作、画像形成動作、等、を制御する。
【００４４】
ＭＰＵ１０１は、ＭＦＰ１に対する指示（操作）入力を受けつけるコントロールパネル（操作部）９からの制御入力に従い、ＭＦＰ１の各部（要素）を制御する。
【００４５】
操作部９は、表示部９ａを有する。表示部９ａは、例えば文字列あるいは記号（ピクトグラム、pictogram／アイコン、icon）等として知られている表示（ユーザインタフェース）により、ＭＦＰ１の各部の状態等を表示する。表示部９ａはまた、タッチパネルとしても機能し、ユーザからの指示（制御）入力の受けつけ及び受けつけた入力の表示及びＭＰＵ１０１の制御に従う、上記表示等を表示する。
【００４６】
信号処理／動作制御部７はまた、ＲＯＭ（Read Only Memory、読み出し専用（プログラム）メモリ）１１１、ＲＡＭ（Random Access Memory、ランダムアクセスメモリ）１１３、ＮＶＭ（Non-volatile Memory、不揮発性メモリ）１１５、画像処理部７３における画像処理に用いるページメモリ（ワークメモリ）１１７、及び各部のセンサからの出力等をＭＰＵ１０１に入力するＩ／Ｏポート１１９、等を含む。
【００４７】
ＭＰＵ１０１は、任意のモータ１３１，１３３，・・・，１３９の回転を制御するモータドライバ１２１と接続する。モータ１３１は、例えば第１〜第４の画像形成ステーション３０ａ，３０ｂ，３０ｃ及び３０ｄ及び中間転写ベルト３３等を駆動する。モータ１３３は、シートの搬送に関わるカセットから定着装置３５（ＡＤＵ４０）までの間の要素、例えば給紙機構４２、搬送機構４４、アライニング機構４５及びシート転写装置３４、等を駆動する。なお、定着装置３５は、独立に、例えばモータ１３９が駆動する。
【００４８】
ＭＰＵ１０１はまた、定着装置３５の温度を設定するヒータを駆動するヒータ制御装置１２３と接続する。
【００４９】
露光信号生成部７５は、図４及び図５により以下に示すが、第１〜第４の露光装置３２ａ，３２ｂ，３２ｃ及び３２ｄが出力する画像光（露光光）に対応する画像のずれ、及び直線性を補正する。
【００５０】
任意の露光装置３２ａ，３２ｂ，３２ｃ及び３２ｄが含むＬＥＤヘッドのＬＥＤ素子列は、図４（ａ）が示す通り、副走査方向の位置ずれを伴う。すなわち、基準線（直線）Ｓと個々のＬＥＤ素子との間の間隔が異なり、例えば素子Ｌ０〜Ｌｎ−ｍ〜Ｌｎ（ｎ，ｍは整数）のそれぞれにおいて、Ｄ０〜Ｄ５の範囲の位置ずれ（以下、歪み量と称する）を含む。
【００５１】
個々のＬＥＤ素子Ｌ０〜Ｌｎ−ｍ〜Ｌｎのそれぞれにおける歪み誤差Ｄ０〜Ｄ５の影響を補償するための、図４（ｂ）が示すように、基準時間Ｓ´に対する補正値であるタイミング補正値（補正量Ａ）Ｔ０〜Ｔ５を有する。タイミング補正値Ｔ０〜Ｔ５は、可搬媒体（外部記憶装置）もしくはＬＥＤヘッドと一体化した記憶素子（内蔵メモリ）等により、ＬＥＤヘッド毎に管理する。
【００５２】
図５は、ＬＥＤヘッドを画像形成装置に組み込んだ時点で（ＬＥＤヘッドが）設計上の主走査方向と非平行である場合に生じる直線画像の傾きを補正する例を示す。
【００５３】
ＬＥＤヘッド毎の補正値Ｔ０〜Ｔ５（図４（ｂ）参照）を適用して露光信号生成部７５が副走査補正した画像信号を用いて画像形成した場合であっても、直線画像が主走査方向と非平行となる場合がある。すなわち、多くの場合、各画像形成ステーション３０ａ，３０ｂ，３０ｃ及び３０ｄにおいて感光体ドラム３１（ａ〜ｄ）と露光装置３２（ａ〜ｄ）とは、非平行となる。
【００５４】
このため、一般には、ＬＥＤヘッド（露光装置）に供給する画像信号において、副走査方向のずれ（傾き量）を補正する。
【００５５】
すなわち、図５（ａ）に点線で示すような出力すべき直線の画像情報について、ワークメモリ（画像メモリ／ページメモリ）から複数ラインにまたがって主走査方向の１ラインに対応する画像データを読み出す。より詳細には、図５（ａ）において、基準線Ｓからδ１の位置の画像データ，δ２の位置の画像データ，δ３の位置の画像データを、直線の画像情報を、直線補間するように読み出す。
【００５６】
ＬＥＤヘッド中のＬＥＤ素子Ｌ０〜Ｌｎ−ｍ〜Ｌｎのそれぞれにおける位置のすれ（傾き量）δ１〜δ３の影響を補償するための、図５（ｂ）が示すような、基準時間Ｓ´に対する補正値であるタイミング補正値（補正量Ｂ）Ｔ１１〜Ｔ１３を準備する。
【００５７】
タイミング補正値Ｔ１１〜Ｔ１３は図６に一例を示すが、中間転写ベルト３３のベルト面（画像保持面）の移動ともに移動するテストパターン画像Ｙ１〜Ｙ３、Ｍ１〜Ｍ３、Ｃ１〜Ｃ３及びＫ１〜Ｋ３を画像センサ３９で検出し、その出力を画像検出回路７９において、基準値および色成分相互で比較し、算出する。
【００５８】
図５（ｃ）は、図４（ｂ）に示したタイミング補正値（補正量Ａ）Ｔ１〜Ｔ５及び図５（ｂ）に示したタイミング補正値（補正量Ｂ）Ｔ１１〜Ｔ１３を合成して、図４（ａ）に示した個々のＬＥＤ素子の副走査方向の位置ずれと図５（ａ）に示したＬＥＤヘッド−感光体ドラム相互の傾き量とを合成（加算）したタイミング補正値（合成補正量Ｃ）の一例を示す。
【００５９】
図５（ｄ）は、図５（ｃ）が示すタイミング補正値Ｔ００１〜Ｔｎ−ｍを用いて、直線画像を形成した例を示す。
【００６０】
図５（ｄ）から、タイミング補正値Ｔ１１１とＴ１１２との接続部（副走査方向の読み出し画素の変化点）のように、ずれ量補正（直線補間）の大きさが副走査方向の１ライン分以上に達した場合、出力画像において、１ライン分のずれ（段ずれ）として認識可能である。例えば６００ｄｐｉ（ドットパーインチ）の解像度の画像においては、１ラインの間隔が４２μｍであり、人間の目で、認識できる。なお、色別では、Ｋ（黒）色の段ずれは、特に認識され易い。
【００６１】
このため、人間の目が認識し易い色の画像であり、平行な細い直線（罫線や表）の画像については、図７により以下に説明する区分に従い、図４（ｂ）に示したＬＥＤ素子の副走査方向の位置ずれに対する補正を解除することが好ましい。
【００６２】
なお、実際の印刷（画像形成及びシートへの出力）では、ＰＣ（Personal Computer、パーソナルコンピュータ）等にインストールされたアプリケーションソフトにより作成する表や図形を含むファイル（画像データ）の場合が顕著である。
【００６３】
また、上述の通り、特にＫ（黒）色の段ずれが認識され易いため、印刷元（画像データ供給先）が、コピーやスキャンと異なるプリンタ出力である場合に、Ｋ色について補正を解除することが好ましい。
【００６４】
すなわち、図７にソフトウエア的に説明するが、画像データがプリンタ出力（例えば、ＰＣから供給される）であるか否かを検出する［１１］。画像データがプリンタ出力である場合［１１−ＹＥＳ］、補正量Ａを、補正量Ａ＝０（補正なし）とする［１７］。
【００６５】
画像データが、例えば画像読取部５から供給されるコピーやスキャン等、プリンタ出力とは異なる場合［１１−ＮＯ］、補正量Ａを設定する［１２］。
【００６６】
次に、図５（ａ）及び図５（ｂ）の手法を用い、中間転写ベルト３３のベルト面（画像保持面）の移動ともに移動するテストパターン画像Ｙ１〜Ｙ３、Ｍ１〜Ｍ３、Ｃ１〜Ｃ３及びＫ１〜Ｋ３を画像センサ３９で検出し、ＬＥＤヘッド−感光体ドラムの傾き量を読み出す［１３］。
【００６７】
次に、読み出した傾き量から、補正量Ｂを算出する［１４］。
【００６８】
以下、図５（ｃ）の手法により補正量Ａと補正量Ｂとを合成して［１５］、合成補正量Ｃを設定する［１６］。
【００６９】
すなわち、プリンタ出力以外の印刷を行う場合は、    
歪み量（補正量Ａの対象）については、Ｙ／Ｍ／Ｃ／Ｋ色のそれぞれの色について歪み量を求め、求めた歪み量に対応する補正量Ａを設定し、それぞれの色に補正をかける。    
傾き量（補正量Ｂの対象）については、図６の手法により、位置合わせパターンを印字し、画像センサ３９によりＫ色に対する傾き量を検出し、Ｋ色の傾き量を基準として、Ｙ／Ｍ／Ｃ色の補正を行う。
【００７０】
一方、プリンタ出力の印刷を行う場合には、    
歪み量については、Ｙ／Ｍ／Ｃ色のそれぞれの色について、歪み量を求め、求めた歪み量に対応する補正量Ａを設定し、Ｋ色を除くそれぞれの色に補正をかける。すなわち、Ｋ色については補正を行わない。    
傾き量については、位置合わせパターンを印字し、画像センサ３９によりＫ色に対する傾き量を検出し、Ｋ色の傾き量を基準として、Ｙ／Ｍ／Ｃ色の補正を行う。
【００７１】
このような対応をとることで、Ｋ（黒）色は、ＬＥＤヘッド（露光装置）製造時のばらつきにより、直線状の画像に僅かなゆがみが残る場合があるが、可視（認識）し易い、１ライン分の段ずれが生じることを防止できる。
【００７２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７３】
１…ＭＦＰ（画像形成装置）、３…画像形成部、７…制御（信号処理／動作制御）部、９…操作部、９ａ…表示部、３０ａ，３０ｂ，３０ｃ及び３０ｄ…単色画像形成ステーション（可視像形成部）、３１ａ，３１ｂ，３１ｃ及び３１ｄ…像担持体（感光体ドラム）、３２ａ，３２ｂ，３２ｃ及び３２ｄ…露光装置（ＬＥＤヘッド）、３３…中間転写ベルト、３４…シート転写装置、３５…定着装置、３９…画像センサ（傾き検出部）、４０…自動両面ユニット、４５…アライニング機構、７５…変調回路（露光信号生成部）、７７…ＣＰＵ（画像信号系制御装置）、７９…画像検出回路（傾き検出部）、１０１…ＭＰＵ（主制御装置）。
【図１】
2014148123.tif 000003
【図２】
2014148123.tif 000004
【図３】
2014148123.tif 000005
【図４】
2014148123.tif 000006
【図５】
2014148123.tif 000007
【図６】
2014148123.tif 000008
【図７】
2014148123.tif 000009